(57)【特許請求の範囲】
【請求項１】
絶縁樹脂製のケースと、該ケース内部に一側部が配置される入力端子、出力端子および該入・出力端子を連結するヒューズ溶断部からなる導体とから構成され、上記入力端子および出力端子の先端面はケースの一端面と同等あるいは僅かに突出した位置であり、これら入力端子および出力端子の先端面から所要長さの範囲にわたって入力端子および出力端子が部分的に露出するようにケースの表裏両面に切欠が設けられ、これら入力端子および出力端子の露出部分を相手方端子との電気接触部としているヒューズが取り付けられるヒューズハウジングであって、
上記ケースの左右幅狭部を外側より抱持する形状の一対の左右側壁と、これら左右側壁の間に位置して、上記ケースの前後広幅面を覆う幅広で背が低い前後保護壁を備え、
上記左右側壁と前後保護壁により囲まれるキャビテイ内の底部側より、ヒューズの入力端子と出力端子とにそれぞれ圧接接続させるバスバー先端のタブが突出され、これら一対のタブの対向する内面側に、上記前後保護壁の左右両端より突設したタブ押さえリブを当接させていることを特徴とするヒューズハウジング。
【請求項２】
上記左右両端のタブ押さえリブは高さを変えて、一方はタブの上端より突出させると共に他方はタブの上端と略同一位置としている請求項１に記載のヒューズハウジング。
【請求項３】
上記一対のタブは先端より端子圧接用のスロットが設けられ、その幅広面をヒューズの入力端子および出力端子の幅広面と直交させて、上記端子圧接用のスロットにヒューズの入力端子および出力端子を圧入することにより接続させており、
上記各タブの両側幅狭面は上記左右側壁内面に当接されて挟持された状態とすると共に、幅広面の対向する内面の前後両縁が上記タブ押さえリブと当接される請求項１または請求項２に記載のヒューズハウジング。
【発明の詳細な説明】
【０００１】
【発明の属する技術分野】
本発明は、ヒューズハウジングに関し、詳しくは、ヒューズボックス、リレー・ヒューズボックス、ジャンクションボックス等の電気接続箱においてケース外面に突設されるヒューズハウジングで、特に、絶縁樹脂製のケースに切欠を設けて入出力端子を露出させ、ヒューズハウジングへの挿入側のケース先端面から入出力端子を殆ど突出させていない背の低いヒューズが挿入されるヒューズハウジングに関するものである。
【０００２】
【従来の技術】
ヒューズボックス、リレー・ヒューズボックス、ジャンクションボックス等の電気接続箱には多数のヒューズが搭載されている。これらヒューズの高さを低くすると、これら電気接続箱の高さを低くすることができる。また、電気接続箱内に収容するバスバーとヒューズの端子とは従来中継端子を介して接続しているが、中継端子を無くしてバスバーから突設したタブとヒューズの端子とを直接接続できる構成とすると、電気接続箱内の構成を簡単とすることが出来ると共に電気接続箱の高さを更に低くすることができる。
よって、本出願人は先に特願２０００−２４５１７５号、特願２０００−３００４５０号等において、高さを低くしたヒューズを提供すると共に、該ヒューズの入出力端子をバスバーのタブと中継端子を介さずに接続させる構造を提供している。
【０００３】
上記ヒューズ１０は図７（Ａ）（Ｂ）に示すように、絶縁樹脂製のケース１と、該ケース１の内部に一部が埋設される左右一対の入力端子２、出力端子３と、これら入力端子２と出力端子３とを連続するヒューズ溶断部４とからなる導体とから構成され、入力端子２および出力端子３の先端面をケース１の差込側の端面１ａより僅かに突出させ、あるいは略同一位置とすると共に、入力端子２および出力端子３の先端面から所要長さの範囲にわたって、入力端子および出力端子が部分的に露出するようにケース１の左右両側の表裏両面に切欠１ｂを設けた構成としている。
【０００４】
上記ヒューズ１０は図８に示すように、バスバー５に形成した圧接スロット６ａを有するタブ６に圧接接続させるようにし、これにより中継端子を介さずに、ヒューズの入出力端子をバスバーのタブに直接接続可能としている。
【０００５】
上記背の低いヒューズ１０を収容するヒューズハウジング９は図９（Ａ）（Ｂ）に示す構造とされている。
即ち、一対の左右側壁７、８を備え、これら左右側壁７、８により上記ヒューズ・ケース１の左右両側部を外側から抱持するようにしている。
上記左右側壁７、８に挟まれた空間（キャビテイ）Ｓには底面側よりバスバー５Ａ、５Ｂに設けたタブ６Ａ、６Ｂを突出させ、これらタブ６Ａ、６Ｂの圧接スロットにヒューズ１０の入出力端子２、３を挿入して圧接接続させている。
【０００６】
【発明が解決しようとする課題】
上記ヒューズハウシング９は、一対の左右側壁７、８が突設されているだけで、これら左右側壁にはさまれた空間Ｓにバスバーのタブ６Ａ、６Ｂが突設され、言わば、タブ６Ａ、６Ｂが剥き出しの状態で空間Ｓに立設されているため、ヒューズ１０を挿入した時、タブ６Ａ、６Ｂが図９（Ｂ）中の矢印で示すように、互いに近接する内側に変形して倒れやすい問題がある。
このように、タブ６Ａ、６Ｂが変形すると、圧接スロットの先端よりヒューズの入力端子２、出力端子３を押し込みにくくなり、挿入作業性が悪くなる問題がある。
【０００７】
さらに、ヒューズ１０の幅狭の左右両側部がヒューズハウシングの左右側壁７、８に抱持されるだけで幅広側は保護されていないため、外部干渉を受けやすいと共に、安定性が悪い問題がある。このように、ヒューズ１０がヒューズハウシング９の内部に安定した状態で確実に位置決め保持されていないと、ヒューズが簡単に変形し、入出力端子２、３とタブ６Ａ、６Ｂとの電気接続信頼性が低下する問題もある。
【０００８】
本発明は上記問題に鑑みてなされたもので、バスバーのタブの変形を防止すると共に、ヒューズをヒューズハウシング内に安定した状態で確実に位置決め保持することを課題としている。
【０００９】
【課題を解決するための手段】
上記課題を解決するため、本発明は、絶縁樹脂製のケースと、該ケース内部に一側部が配置される入力端子、出力端子および該入・出力端子を連結するヒューズ溶断部からなる導体とから構成され、上記入力端子および出力端子の先端面はケースの一端面と同等あるいは僅かに突出した位置であり、これら入力端子および出力端子の先端面から所要長さの範囲にわたって入力端子および出力端子が部分的に露出するようにケースの表裏両面に切欠が設けられ、これら入力端子および出力端子の露出部分を相手方端子との電気接触部としているヒューズが取り付けられるヒューズハウジングであって、
上記ケースの左右幅狭部を外側より抱持する形状の一対の左右側壁と、これら左右側壁の間に位置して、上記ケースの前後広幅面を覆う幅広で背が低い前後保護壁を備え、
上記左右側壁と前後保護壁により囲まれるキャビテイ内の底部側より、ヒューズの入力端子と出力端子とにそれぞれ圧接接続させるバスバー先端のタブが突出され、これら一対のタブの対向する内面側に、上記前後保護壁の左右両端より突設したタブ押さえリブを当接させていることを特徴とするヒューズハウジングを提供している。
【００１０】
詳しくは、上記一対のタブは先端より圧接スロットが設けられ、その幅広面をヒューズの入力端子および出力端子の幅広面と直交させて、上記圧接スロットにヒューズの入力端子および出力端子を圧入することにより接続させており、  上記各タブの両側幅狭面は上記左右側壁内面に当接されて挟持された状態とすると共に、幅広面の対向する内面の前後両縁が上記タブ押さえリブと当接されるようにしている。
【００１１】
上記構成によれば、一対の左右側壁の間に、前後保護壁を設けて、ケースの幅広面を保護しているため、ケースの４面が壁により囲まれるようになり、ヒューズを安定して位置決め保持することができる。
さらに、前後保護壁の左右両端より、バスバーのタブの内側に当接するタブ押さえリブを突設していることにより、タブは内側に倒れることが防止でき、ヒューズ挿入時にタブに負荷がかかってもタブは内側には倒れず、ヒューズの入出力端子をタブの圧接スロットに正確に押し込んで、圧接接続を図ることができる。
【００１２】
上記左右両端のタブ押さえリブは高さを変えて、一方はタブの上端より突出させると共に他方はタブの上端と略同一位置としている。
タブ押さえリブは、タブよりも高くすると、タブの倒れ防止機能を高めることができる。一方、導通検査時にはタブに導通検査治具を接触させる必要がある。そのため、タブの内面側の前後両縁に当接させるタブ押さえリブは、一方を高くしてタブ倒れ防止機能を高める一方、他方はタブの高さと略同等としてタブの上端に導通検査治具を接触させることができるようにしている。
【００１３】
【発明の実施の形態】
以下、本発明の実施形態を図面を参照して説明する。
図１乃至図３に示すヒューズハウジング２０はヒューズブロックのケース２１に並列して多数設けられたものであり、該ヒューズハウシング２０に前記図７に示す背の低いヒューズ１０を収容するものである。
【００１４】
各ヒューズハウシング２０は図９に示す従来例と同様に、一対の左右側壁２２２３を所定間隔をあけて突設しており、これら左右側壁２２、２３は、断面コ字状の抱持部２２ａ、２３ａと、その両端より外向きに突出する前後鍔部２２ｂと２２ｃ、２３ｂと２３ｃを備えた形状としている。
【００１５】
上記左右の前後鍔部２２ｂと２３ｂ、２２ｃと２３ｃに挟まれた部分は、図７に示す従来では開口部とされていたが、本実施形態では背の低く幅広の前後保護壁２４、２５を立設している。
【００１６】
上記左右側壁２２、２３、前後保護壁２４、２５で囲まれたキャビテイ（空間）Ｓの底面中央には底壁２６があり、該底壁２６と左右側壁２２、２３との間にバスバー５、５を突出させるための開口２７、２８を設けている。
【００１７】
上記開口２７、２８をバスバー５Ａ、５Ｂを通して、該バスバー５Ａ、５Ｂの上部に設けたタブ６Ａ、６Ｂを上記空間Ｓに突出させている。
上記タブ６Ａ、６Ｂは左右側壁の抱持部２２ａ、２３ａの内端開口を閉鎖する位置に突出し、その前後の幅狭面ＴＳが抱持部２２ａ、２３ａの前後面に当接し、幅広面ＷＳを互いに間隔をあけて対向配置される。
タブ６Ａ、６Ｂの先端より端子圧接用のスロット６ｓが切り込まれており、これらタブ６Ａ、６Ｂの上端は上記前後保護壁２４、２５の高さと一致している。
【００１８】
前後保護壁２４、２５のそれぞれ左右両端の対向する内面側にはタブ押さえリブ３０と３１、３２と３３を突設し、タブ６Ａ、６Ｂの対向する幅広面ＷＳの内面側に当接させている。
詳しくは、タブ押さえリブ３０と３２とによりタブ６Ａの幅広面ＷＳの内面の前後両縁に当接させ、タブ押さえリブ３１と３３によりタブ６Ｂの幅広面ＷＳの内面の前後両縁に当接させている。
【００１９】
また、前保護壁２４の左右両端に設けるタブ押さえリブ３０と３１とは左側のタブ押さえリブ３０はタブ６Ａの高さより大とし、右側のタブ押さえリブ３１はタブ６Ｂの高さと同一としている。一方、後保護壁２５では左側のタブ押さえリブ３２はタブ６Ａの高さと同一とし、右側のタブ押さえリブ３３はタブ６Ｂの高さよりも大としている。
【００２０】
ヒューズハウシング２０を上記構成とすると、タブ６Ａ、６Ｂは幅広面ＷＳの内面側には、その前後両縁にタブ押さえリブ３０と３２、３１と３３が当接されるため、内方への倒れが防止される。外方へは左右側壁２２、２３の抱持壁２２ａ、２３ａが存在するため倒れが防止される。
【００２１】
よって、ヒューズ１０をヒューズハウシング２０に挿入し、その入力端子２をタブ６Ａ、出力端子３をタブ６Ｂの各スロット６ｓに押し込む時に、タブ６Ａ、６Ｂは内方および外方に倒れずに、所定位置に位置決め保持され、入出力端子２、３をタブ６Ａ、６Ｂのスロット６ｓにスムーズに挿入して圧接接続させることができる。
【００２２】
ヒューズ１０がヒューズハウシング２０に完全に挿入されると、図３に示すように、ケース１の上端面が左右側壁２２、２３の上端と一致して、空間Ｓの内部にヒューズ１０が完全に収容される。この状態で、ケース１の前後の幅広面の下側部分が前後保護壁２４、２５に覆われる。また、ケース１の幅狭な左右両端面が左右側壁２２、２３と当接して挟持されると共に、この左右両側部が左右側壁２２、２３により外側より抱持された状態となり、ヒューズ１０はその４辺がヒューズハウシング２０の壁により保護規制されることとなる。
【００２３】
このように、ヒューズ１０の入出力端子２、３がタブ６Ａ、６Ｂと圧接接続した状態で、ケース１の４辺がヒューズハウシング２０の壁により保護されるため、安定した状態で位置決め固定され、外部干渉材がヒューズ１０に干渉しにくくなり、ヒューズ１０に変形を発生させず、電気接続信頼性を高めることができる。
【００２４】
また、ヒューズ１０を差し込む前に、図６に示すように、タブ６Ａ、６Ｂに導通検査用の治具Ｇを差し込んで接触検査する時、タブ押さえリブの一方側のリブ３１、３２をタブ６Ａ、６Ｂの高さと同一としているため、ヒューズハウシング２０の先端開口より治具Ｇを斜め挿入して差し込むと、タブ６Ａ、６Ｂの上端面に治具Ｇの先端を接触させることができる。
【００２５】
【発明の効果】
以上の説明より明らかなように、本発明のヒューズハウシングでは、空間（キャビテイ内）に突出するバスバーのタブに当接するタブ押さえリブを設けているため、タブの内側への倒れを防止でき、ヒューズとの圧接接続時にタブが倒れず、圧接作業をスムーズに行うことができる。
【００２６】
また、従来は、ヒューズの左右両側部を外側から抱持するように保持していただけであるが、本発明では前後広幅面も前後保護壁で覆われため、ヒューズの４辺をヒューズハウシングの壁を覆って安定保持することができる。その結果、ヒューズには外力が作用しにくくなり、タブとの電気接続信頼性を高めることができる。
【図面の簡単な説明】
【図１】  本発明の実施形態を示し、ヒューズハウシングの平面図である。
【図２】  図１のＩＩ−ＩＩ線断面図である。
【図３】  要部斜視図である。
【図４】  ヒューズハウシングにヒューズを差し込む状態を示す図面である。
【図５】  （Ａ）はヒューズの端子とタブとの圧接接続状態を示す正面図、（Ｂ）は側面図である。
【図６】  ヒューズハウシングに導通検査治具を差し込んでタブと接触させる状態を示す図面である。
【図７】  （Ａ）がヒューズの正面図、（Ｂ）は側面図である。
【図８】  ヒューズとバスバーのタブとの圧接接続状態を示す図面である。
【図９】  従来のヒューズハウシングを示し、（Ａ）は平面図、（Ｂ）は（Ａ）のＢ−Ｂ線断面図である。
【符号の説明】
１  ケース
２  入力端子
３  出力端子
５（５Ａ、５Ｂ）  バスバー
６Ａ、６Ｂ  タブ
６ｓ  圧接用のスロット
１０  ヒューズ
２０  ヒューズハウシング
２２、２３  左右側壁
２４、２５  前後保護壁
３０〜３３  タブ押さえリブ
【図１】
0004333049.tif 000002
【図２】
0004333049.tif 000003
【図３】
0004333049.tif 000004
【図４】
0004333049.tif 000005
【図５】
0004333049.tif 000006
【図６】
0004333049.tif 000007
【図７】
0004333049.tif 000008
【図８】
0004333049.tif 000009
【図９】
0004333049.tif 000010